(57)【要約】【課題】蓋の開閉が円滑であり、上部空間が制限された場所においても、使用できるペダル方式の開閉蓋を有するゴミ箱を提供すること。【解決手段】上部開口のゴミ収容容器１と、ゴミ収容容器１の下に、シーソー状に回動可能に付設されるペダル部３と、ゴミ収容容器１の上部開口に左右両開きに開閉自在に付設される一対の蓋２と、ゴミ収容容器１の後ろ側において、ペダル部３の後方端と一対の蓋を連結する連結体４と、を有し、ゴミ収容容器１の後ろ側寄りの蓋２の裏面には、連結体４の係止丸棒部３２が係止する係止孔５１を有する係止突起５がそれぞれ形成され、連結体４は、ゴミ収容容器１の前方向に延びる係止丸棒部４３とを有するゴミ箱１０。【選択図】図２
2019085241.tif 000002
【特許請求の範囲】
【請求項１】
上部開口のゴミ収容容器と、
該ゴミ収容容器の下に、シーソー状に回動可能に付設されるペダル部と、
該ゴミ収容容器の上部開口に左右両開きに開閉自在に付設される一対の蓋と、
該ゴミ収容容器の後ろ側において、ペダル部の後方端と一対の蓋を連結する連結体と、
を有し、
該ゴミ収容容器の後ろ側寄りの蓋の裏面には、連結体の係止丸棒部が係止する係止孔を有する係止突起がそれぞれ形成され、
該連結体は、下端がペダル部の後方端と回動自在に接続する上下方向に延びる縦部と、  該縦部の上方に位置しゴミ収容容器の前方向に延びる該係止丸棒部とを有し、
該ペダル部を踏むことで、該連結体が上方に持ち上がり、蓋が両開きとなり、該ペダル部の踏み込みを解除することで、該連結体が下方に下がり、蓋が閉じることを特徴とするゴミ箱。
【請求項２】
該蓋は、板状体の左蓋と、平面で見て同形状の右蓋であり、該左蓋は、該ゴミ収容容器の上端近傍で、正面視で反時計周りに回動自在に付設され、該右蓋は、該ゴミ収容容器の上端近傍で、正面視で時計周りに回動自在に付設されことを特徴とする請求項１記載のゴミ箱。
【請求項３】
該蓋は、天板、左右側板および前後側板を有し、該前後側板にそれぞれ係止突起が形成され、該ゴミ収容容器の上端近傍には、該係止突起と回動自在に係止する係止凹部が形成されることを特徴とする請求項１または２記載のゴミ箱。
【請求項４】
該連結体は、該縦部の上端に連接する左右方向に延びる横丸棒部を有し、該係止丸棒部は、該横丸棒部の両先端部が屈曲して前方に延出したものであることを特徴とする請求項１〜３のいずれか１項に記載のゴミ箱。
【請求項５】
該係止孔は、該蓋が閉状態において、縦方向に長い長孔で上端部および下端部はアール形状であり、上部のアール形状は、下部のアール形状より緩やかな曲線のアールであることを特徴とする請求項１〜４のいずれか１項に記載のゴミ箱。 
【発明の詳細な説明】
【技術分野】
【０００１】
本発明は、ペダル方式の左右開閉蓋を有するゴミ箱に関するものである。
【背景技術】
【０００２】
従来、ペダル方式の開閉蓋を有するゴミ箱は、種々提案されている。米国特許４８６５２１４には、上部開口部を有する容器と、容器に取り付けられ、旋回軸の周りを旋回して上部開口部を開閉する蓋と、蓋を回動自在とする機構が設けられている。この機構は、ペダル部と、蓋と一体に結合された蓋フランジと、ペダル部と蓋フランジとを相互に連結するロッド連結体とを有する。また、蓋フランジは、その厚さを通して形成された細長い孔を有する。細長い孔は、チャネルと、その両端に位置する２つの拡大部とを有する。このゴミ箱によれば、ペダル部を踏むことで、ペダル部が回動して後方端部が上方へ動き、ロッド連結体を押し上げ、これによりロッド連結体の上端部が、チャネルを通って２つの拡大部の内のひとつに係止することで、蓋フランジが回動し、これに伴い蓋が開くものである。
【先行技術文献】
【特許文献】
【０００３】
【特許文献１】米国特許４８６５２１４号公報
【発明の開示】
【発明が解決しようとする課題】
【０００４】
しかしながら、ペダル方式の開閉蓋を有するゴミ箱は、通常、使用時、蓋は略起立状に開く。このため、蓋の開きを許容するための上方の空間が必要となる。家庭用のゴミ箱は、通常、部屋の隅に置かれる。この場合においても、ゴミ箱を置く一定の設置面積が必要となる。ゴミ箱の設置位置は、設置場所の都合、使用者の使用勝手や趣向など種々の要因で決定され、その内、机の下や棚の下など、上部空間が制限された場所に設置される場合がある。この場合、ペダル方式の開閉蓋を有するゴミ箱は、蓋が半開きとなり、実質的に使用できないという問題がある。また、従来のゴミ箱は、ペダルの踏み込み及び踏み込みの解除による蓋の動作反応は、必ずしも素早いものではないという問題があった。
【０００５】
従って、本発明の目的は、蓋の開閉が円滑で且つペダルの動きに素早く反応し、上部空間が制限された場所においても、使用できるペダル方式の開閉蓋を有するゴミ箱を提供することにある。
【課題を解決するための手段】
【０００６】
かかる実情において、本発明者は鋭意検討を行った結果、１つの開閉蓋を２つに分割して特定構造の両開きの蓋とすれば、円滑に蓋が開閉すると共に、上部空間の高さを半分に減らせること等を見出し、本発明を完成するに至った。
【０００７】
すなわち、本発明は、上部開口のゴミ収容容器と、該ゴミ収容容器の下に、シーソー状に回動可能に付設されるペダル部と、該ゴミ収容容器の上部開口に左右両開きに開閉自在に付設される一対の蓋と、該ゴミ収容容器の後ろ側において、ペダル部の後方端と一対の蓋を連結する連結体と、を有し、該ゴミ収容容器の後ろ側寄りの蓋の裏面には、連結体の係止丸棒部が係止する係止孔を有する係止突起がそれぞれ形成され、該連結体は、下端がペダル部の後方端と回動自在に接続する上下方向に延びる縦部と、該縦部の上方に位置しゴミ収容容器の前方向に延びる該係止丸棒部とを有し、該ペダル部を踏むことで、該連結体が上方に持ち上がり、蓋が両開きとなり、該ペダル部の踏み込みを解除することで、該連結体が下方に下がり、蓋が閉じることを特徴とするゴミ箱を提供するものである。
【０００８】
また、本発明は、該蓋は、板状体の左蓋と、平面で見て同形状の右蓋であり、該左蓋は、該ゴミ収容容器の上端近傍で、正面視で反時計周りに回動自在に付設され、該右蓋は、該ゴミ収容容器の上端近傍で、正面視で時計周りに回動自在に付設されことを特徴とする前記ゴミ箱を提供するものである。
【０００９】
また、本発明は、該蓋は、天板、左右側板および前後側板を有し、該前後側板にそれぞれ係止突起が形成され、該ゴミ収容容器の上端近傍には、該係止突起と回動自在に係止する係止凹部が形成されることを特徴とする前記ゴミ箱を提供するものである。
【００１０】
また、本発明は、該連結体は、該縦部の上端に連接する左右方向に延びる横丸棒部を有し、該係止丸棒部は、該横丸棒部の両先端部が屈曲して前方に延出したものであることを特徴とする前記ゴミ箱を提供するものである。
【００１１】
また、本発明は、該係止孔は、該蓋が閉状態において、縦方向に長い長孔で上端部および下端部はアール形状であり、上部のアール形状は、下部のアール形状より緩やかな曲線のアールであることを特徴とする前記ゴミ箱を提供するものである。
【発明の効果】
【００１２】
本発明によれば、上部空間が制限された場所において、従来の片開き蓋のゴミ箱に対して、半分の上部空間があればよく、使用できる場所の選択が広まる。また、ペタル部の踏み込み及び踏み込みの解除で、蓋の動作が早く且つ円滑に蓋の開閉ができる。
【図面の簡単な説明】
【００１３】
【図１】本発明の実施の形態におけるゴミ箱の斜視図である。
【図２】図１のゴミ箱の他の斜視図である。
【図３】図１のゴミ箱の分解斜視図である。
【図４】図１のゴミ箱を構成するゴミ収納容器の斜視図である。
【図５】図１のゴミ箱を構成する蓋の平面図である。
【図６】図１のゴミ箱を構成する蓋の側面図である。
【図７】図１のゴミ箱を構成する蓋の断面図である。
【図８】図１のゴミ箱の断面図である。
【図９】図１のゴミ箱の蓋の開き動作を説明する図であり、（Ａ）、（Ｂ）、（Ｃ）の順で開きが大きくなる。
【図１０】図１のゴミ箱の蓋の開き動作を説明する他の図であり、（Ｄ）、（Ｅ）、（Ｆ）の順で開きが大きくなる。
【図１１】図１のゴミ箱の蓋の開き動作を説明する他の図であり、（Ｇ）、（Ｈ）の順で開きが大きくなる。
【図１２】図１のゴミ箱の蓋の閉まり動作を説明する図であり、（Ａ）、（Ｂ）、（Ｃ）の順で開き角度が小さくなる。
【発明を実施するための形態】
【００１４】
次に、本発明の実施の形態におけるゴミ箱を図１〜図１２を参照して説明する。本明細書において、「左右」および「前後」は、ペダル部を正面（手前）側として見た方向を言う。
【００１５】
ゴミ箱１０は、上部開口のゴミ収容容器１と、ゴミ収容容器１の下に、シーソー状に回動可能に付設されるペダル部３と、ゴミ収容容器１の上部開口に左右両開きに開閉自在に付設される一対の蓋２（２１ａ、２１ｂ）と、ゴミ収容容器１の後ろ側において、ペダル部３の後方端３３と一対の蓋２を連結する連結体４と、を有する。ゴミ収納容器１において、開いた扉２の上部開口からゴミが投入される。
【００１６】
ゴミ収納容器１は容器本体１１を有する。容器本体１１において、上部開口近傍の縁部の形状としては、平面視が矩形状で且つ板状体である一対の蓋２が設置される形状であれば、特に制限されない。すなわち、容器本体１１の上端の外寸法は、平面視で一対の蓋を横並びでほぼ隙間なく設置した場合の外寸法と同じである。すなわち、容器本体１１の厚みで形成される上端面と一対の蓋２の裏面が当たり、これにより容器本体１１が一対の蓋２を支持する。
【００１７】
ゴミ収納容器１において、容器本体１１の上端の前後辺部には、容器本体１１から上方に延びる高さが蓋の厚みと略同じの上部前後起立部１２ａ、１２ｂが形成されている。また、上部前後起立部１２ａ、１２ｂの内側で、且つ左右端部には、蓋２の係止凸部２２が係止する係止凹部（都合４箇所）１４が形成されている。これにより、係止凹部１４には、蓋２に付設された係止凸部２２が係止し、蓋２の左右開閉を自在にすると共に、上部前後起立部１２ａ、１２ｂ間に蓋が設置されることになる。なお、係止凹部１４は、本例では、丸穴である。また、本例では、容器本体１１は下方に向けて若干細い四角形の箱状体である。これにより、ペダル部３の容器本体１１から前方への突出を抑え、収納容積を犠牲にすることなく、設置安定性が優れたものとなる。また、容器本体１１の背面板の後ろ側および底板の裏側には、ペダル部本体３２と連結体４が通るＬ字断面の空間（切り欠き部）１６が形成されている。これにより、連結体４の係止丸棒部４３、４３が蓋２１ａ、２１ｂの裏面に形成される係止突起５、５の係止孔５１、５１に係止できる。また、容器本体１１の背面板の上部には、連結体４が通る貫通孔１５が形成されている（図３参照）。また、容器本体１１の底部には、ペダル部本体３２を回動自在に支持する軸３４が通る軸孔１８、１８が形成されている（図４参照）。また、容器本体１１の前側板の裏側には、ダンパー９を収納するダンパー収納孔１７が形成されている（図８参照）。
【００１８】
一対の蓋２は、板状体の左蓋２１ｂと、平面から見て同形状の右蓋２１ａであり、左蓋２１ｂは、ゴミ収容容器１の上端近傍で、正面視で反時計周りに回動自在に付設され、右蓋２１ａは、ゴミ収容容器１の上端近傍で、正面視で時計周りに回動自在に付設されるものである。左蓋（右蓋）２１ａ、２１ｂは、本例では、天板、左右側板および前後側板２７、２７を有する平面視が矩形状で且つ裏側がくり抜かれた浅底の蓋形状となっている。また、ゴミ収容容器１の後ろ側寄りの蓋２の裏面で且つ左右方向の外側寄りには、連結体４の係止丸棒部４３が係止する係止孔５１を有する係止突起５がそれぞれ形成されている。
【００１９】
係止孔５１は、貫通孔であり、蓋２が閉まった状態において、縦方向に長い長孔で上端部の内周面５１１および下端部の内周面５１２はアール形状であり、上端部のアール形状は、下端部のアール形状より緩やかな曲線（曲率の小さな曲線）を有するアールである。また、係止孔５１の左右方向の内側の内周面５１３は緩やかなアール形状である（図７参照）。係止孔５１をこのような形状とすることで、左右両開き動作が円滑になる。なお、係止孔５１の左右方向の外側の内周面５１４は直線であってもよい。すなわち、係止孔５１の左右方向の外側の内周面５１４の形状は、本例では、直線を含むものである。係止孔５１の左右方向の外側の内周面５１４は、係止する連結体４の係止丸棒部４３の上方への動きに影響されず、曲線とする必要はないものの、蓋２を閉める始動時に、係止丸棒部４３が素早く当たるため、蓋２の閉まりの始動が早くなる。また、連結体４が前後に暴れることを防止できる。また、蓋２を構成する前後側板２７、２７で且つ横方向（左右方向）の外側の端部近傍には、係止凸部２２、２２が付設されている。係止凸部２２、２２は、本例では、円柱状の小突起であり、上部前後起立部１２ａ、１２ｂの係止凹部１４、１４と回動自在に嵌る。
【００２０】
連結体４は、ペダル部３と蓋２を連結するものであり、ペダル部３を踏むことで、連結体４が上方に持ち上がり、蓋２が両開きとなり、ペダル部３の踏み込みを解除することで、連結体４が下方に下がり、蓋２が閉じることになる。すなわち、連結体４は、下端がペダル部３の後方端３３と回動自在に接続する略起立状の縦部４１と、ゴミ収容容器１の前方向に延びる係止丸棒部４３とを有するものであり、本例では、２つの縦丸棒部４１１、４１１と、縦丸棒部４１１、４１１の下端同士を接続する横丸棒部４１２とからなる縦長Ｕ字形状の縦部４１と、縦部４１の上端に連接する横丸棒部４１２と、横丸棒部４１２の両端から屈曲して前方に延出する係止丸棒部４３、４３とを有する。すなわち、連結体４はロッドで構成されている。
【００２１】
ペダル部３は、略板状体であり、ゴミ収容容器１の下に、シーソー状に回動可能に付設されるものである。ペダル部３は、使用時に見える部分である、容器本体１１から前方へ延出する受圧部３１と、容器本体１１の下部でシーソー状に回動自在に軸支されるペダル部本体３２と、ペダル部本体３２の後端で連結体４と回動自在に係止するペダル部係止部３３とを有する。ペダル部係止部３３は、連結体４の横丸棒部４１２と回動自在に係止するものであり、本例では、半円断面の凹部である。ペダル部係止部３３の半円を構成する開口は、正面に向いている。なお、ペダル部本体部３２の前部には、有底の縦孔であるダンパー孔３５が形成されている。ダンパー孔３５にはダンパー９が設置され、ペダル部３の踏み込みを解除した際の急激な戻りを緩和する。また、ペダル部３の長手方向の中心より手前側には、容器本体１１に回動自在に付設される左右方向の外側に延びる軸突起３４が形成されている。なお、軸突起３４は、容器本体１１の軸孔１８に回転自在に嵌合する。
【００２２】
次に、ゴミ箱の使用方法について図１、２、８、９〜１２を参照して説明する。図１のゴミ箱１０は未使用時であり、待機状態にある。また、ゴミ箱１０は、上方空間が狭い、部屋の片隅に設置されている。この待機状態において、ペダル部３は、ペダル部本体３２の後端及び連結体４は最下点に位置している。これにより、一対の蓋２は寝た状態（閉じた状態）であり、左右側板の突合せ先端面（側面）はほぼ隙間なく対峙し、両開きの蓋２１ａ、２１ｂは閉まっている。この状態において、連結体４の係止丸棒部４３は、蓋２の係止孔５１の上端のアール部５１１に近接又は僅かに当たっていることが好ましい。このゴミ箱１０はごみ収容容器１の中身（ごみ）が見えず、意匠性に優れる。
【００２３】
次に、ゴミ箱１０にゴミを捨てる場合、先ず、ペダル部３の受圧部３１を踏み込む。これにより、ペダル部３の後端は上方に上がり、これにより連結体４も上方に上がる。蓋２の係止突起５の係止孔５１と連結体４の係止丸棒部４３の係止位置は、蓋２とゴミ収納容器１側の上部前後起立部１２ａ、１２ｂとの軸支位置より、前後方向における正面側に位置しているため、連結体４が上方に上がると、それに連動して蓋２１ａ、２１ｂも左右方向に開く。
【００２４】
次に、蓋２１ａ、２１ｂが閉じた状態から開く過程における蓋２１ａ、２１ｂの係止突起の係止孔５１と連結体４の係止丸棒部４３の係止関係を、図９〜図１１の（Ａ）〜（Ｈ）を参照して説明する。蓋２１ａ、２１ｂが閉じた状態において、連結体４の係止丸棒部４３は、蓋２１ａ、２１ｂの係止孔５１の上端に当たっている。連結体４の係止丸棒部４３が上方に上げるに連れて、蓋２１ａ、２１ｂは係止凸部（軸）２２の軸芯を回転中心として、回転する（左右に開く）。連結体４の係止丸棒部４３は上下方向に動く一方、係止突起（蓋）５は、蓋２１ａ、２１ｂの係止凸部２２の軸芯を回転中心として回転する。このため、蓋２１ａ、２１ｂの開きが小さい段階（図９の（Ａ）〜（Ｅ））では、係止丸棒部４３は係止孔５１の上端部の緩やかなアール部５１１に当たっている。蓋２１ａ、２１ｂの開きが大きくなるに連れ、係止丸棒部４３は係止孔５１の左右方向（蓋が閉じた状態における方向）の内側方向に移動する。係止孔５１の左右方向の内側部分５１３が、アール形状となっており、係止丸棒部４３と係止孔５１は円滑に係止する（図９の（Ｆ）〜（Ｇ））。更に蓋２１ａ、２１ｂの開きが大きくなり、蓋２１ａ、２１ｂが、起立状から反り返る角度に大きく開く場合、係止丸棒部４３は係止孔５１の左右方向の内側部分５１３から下端部５１２に移動する（図９の（Ｇ）〜（Ｈ））。このように、係止丸棒部４３は、蓋２１ａ、２１ｂが開く際は、係止孔５１の上端部５１１のアール形状から係止孔５１の左右方向の内側部分５１３のアール形状を経由して、係止孔５１の下端部５１２のアール形状に移動する。
【００２５】
次に、蓋２１ａ、２１ｂを閉じる場合、ペダル部３の踏み込みを外す。この場合、ペダル部３の後端は、連結体４の重みにより下方に下がり、連結体４も下方に下がる。この場合、連結体４の係止丸棒部４３は、係止孔５１の下端５１２から係止孔５１の左右方向（蓋が閉じた状態における）の外側部分５１４に当たる（図１１の（Ｈ）及び図１２の（Ａ））。この係止孔５１の左右方向の外側部分５１４は、直線形状であるため、蓋２１ａ、２１ｂの閉じる始動は素早くなる。連結体４の係止丸棒部４３が下方に下がり始めると、蓋２１ａ、２１ｂは起立状態からおじぎ状態になるため、蓋２１ａ、２１ｂの重さにより、蓋２１ａ、２１ｂは一気に閉まることになる（図１２の（Ｂ）〜（Ｃ））。なお、蓋２１ａ、２１ｂがおじぎ状態に入り、その重さにより一気に閉まる場合、係止丸棒部４３は、係止孔５１の内周形状にほとんど影響されず、動くことになる。
【００２６】
ゴミ箱１０によれば、蓋側の係止孔５１の内周形状を特定の形状としたため、蓋２の係止孔５１と係止丸棒部４３の係止が円滑となり、蓋２１ａ、２１ｂの開き閉じが円滑となる。また、ペダル３の踏み込みで蓋２が素早く開き、踏み込みを外すことで、蓋２は素早く閉じる。また、１つの開閉蓋を２つに分割した両開きの蓋としたため、上部空間の高さを半分に減らすことができる。
【産業上の利用可能性】
【００２７】
本発明によれば、上部空間が制限された机の下や棚の下に設置できるため、使用場所の選択の余地が増え、使い勝手がよくなる。また、ペダルの踏み込みや踏み外しに素早く反応する。
【符号の説明】
【００２８】
１    ゴミ収納容器
２    一対の蓋
３    ペダル部
４    連結体
５    係止突起
４３  係止丸棒部
５１  係止孔
【図１】
2019085241.tif 000003
【図２】
2019085241.tif 000004
【図３】
2019085241.tif 000005
【図４】
2019085241.tif 000006
【図５】
2019085241.tif 000007
【図６】
2019085241.tif 000008
【図７】
2019085241.tif 000009
【図８】
2019085241.tif 000010
【図９】
2019085241.tif 000011
【図１０】
2019085241.tif 000012
【図１１】
2019085241.tif 000013
【図１２】
2019085241.tif 000014